(57)【要約】【課題】視聴制限レベルを容易に変更できる視聴制限システムを提供する。【解決手段】後席側第１制御装置２００側または後席側第２制御装置３００側からの申請に基づいて、後席側第１制御装置２００側または後席側第２制御装置３００側の機器側視聴制限レベルを前席側制御装置１００側で変更できるように構成した。これにより、たとえば後席乗員の年齢や性別等に合わせて前席乗員が後席側第１制御装置２００側または後席側第２制御装置３００側の機器側視聴制限レベルの変更を許可または禁止できるので、後席乗員に合わせた適切な機器側視聴制限レベルに設定できる。【選択図】図１
2009089235.tif 000002
【特許請求の範囲】
【請求項１】
車内のネットワークに接続されている車載の装置であって、コンテンツを使用者に提示する第１の提示機器と、
前記ネットワークに接続されている車載の機器であって、提示するコンテンツのデータに付加された視聴制限レベルの情報と使用者に提示可能とされた視聴制限レベルの設定状態とを比較して前記コンテンツを使用者に提示するか否かを判断する判断部を有し、前記コンテンツを使用者に提示すると前記判断部で判断されると前記コンテンツを使用者に提示する第２の提示機器と、
前記ネットワークに接続されている車載の機器であって、前記第１の提示機器および前記第２の提示機器で提示可能なコンテンツのデータを出力するコンテンツデータ出力装置とを備え、
前記第１の提示機器は、前記第２の提示機器における使用者に提示可能とされた視聴制限レベルの設定状態を変更できる提示機器視聴制限レベル変更部を有することを特徴とする視聴制限システム。
【請求項２】
請求項１に記載の視聴制限システムにおいて、
前記第２の提示機器は複数備えられ、複数の前記第２の提示機器がそれぞれ前記ネットワークに接続されており、
前記提示機器視聴制限レベル変更部は、前記複数の第２の提示機器のそれぞれについて使用者に提示可能とされた視聴制限レベルの設定状態を変更できることを特徴とする視聴制限システム。
【請求項３】
請求項１または請求項２に記載の視聴制限システムにおいて、
前記第１の提示機器は、前記コンテンツのデータに視聴制限レベルの情報を付加する視聴制限レベル付加部をさらに有することを特徴とする視聴制限システム。
【請求項４】
請求項３に記載の視聴制限システムにおいて、
前記再生装置は複数備えられ、複数の前記再生装置がそれぞれ前記ネットワークに接続されており、
前記視聴制限レベル付加部は、前記複数の再生装置毎に設定された視聴制限レベルで前記コンテンツのデータに視聴制限レベルの情報を付加することを特徴とする視聴制限システム。
【請求項５】
請求項３または請求項４に記載の視聴制限システムにおいて、
前記視聴制限レベル付加部は、前記コンテンツ毎に設定された視聴制限レベルに応じて前記コンテンツのデータに視聴制限レベルの情報を付加することを特徴とする視聴制限システム。
【請求項６】
請求項３〜５のいずれか一項に記載の視聴制限システムにおいて、
前記視聴制限レベル付加部は、前記ネットワークの規格上でユーザまたはベンダが任意に利用可能な領域に前記視聴制限レベルの情報を付加することを特徴とする視聴制限システム。
【請求項７】
請求項６に記載の視聴制限システムにおいて、
前記ネットワークの規格は，ＩＥＥＥ１３９４またはその拡張規格であり、
前記視聴制限レベル付加部は、ＩＥＥＥ１３９４またはその拡張規格によるアイソクロナス通信におけるアイソクロナスパケットのＣＩＰヘッダに前記視聴制限レベルの情報を付加することを特徴とする視聴制限システム。
【請求項８】
請求項１に記載の視聴制限システムにおいて、
前記提示機器視聴制限レベル変更部は、前記第２の提示機器からの問い合わせに応じて前記第２の提示機器における使用者に提示可能とされた視聴制限レベルの設定状態を変更することを特徴とする視聴制限システム。
【発明の詳細な説明】
【技術分野】
【０００１】
本発明は、コンテンツを提示する際の視聴制限技術に関する。
【背景技術】
【０００２】
ＤＶＤ−Ｖｉｄｅｏ再生装置で再生されたコンテンツを車両の前席側のモニタと後席側のモニタとに提示するビデオシステムが知られている。このビデオシステムでは、モニタ毎に定められるパレンタルレベルにしたがって視聴を制限している（特許文献１参照）。
【０００３】
【特許文献１】特開２００６−１９７４３２号公報
【発明の開示】
【発明が解決しようとする課題】
【０００４】
しかし、従来のビデオシステムでは、モニタ毎に定められるパレンタルレベルを変更するには、所定の権限を有するユーザによってあらかじめパレンタルレベルの設定を変更しておかなければならないため、幼児等には設定変更が困難であった。
【課題を解決するための手段】
【０００５】
（１）  請求項１の発明による視聴制限システムは、車内のネットワークに接続されている車載の装置であって、コンテンツを使用者に提示する第１の提示機器と、ネットワークに接続されている車載の機器であって、提示するコンテンツのデータに付加された視聴制限レベルの情報と使用者に提示可能とされた視聴制限レベルの設定状態とを比較してコンテンツを使用者に提示するか否かを判断する判断部を有し、コンテンツを使用者に提示すると判断部で判断されるとコンテンツを使用者に提示する第２の提示機器と、ネットワークに接続されている車載の機器であって、第１の提示機器および第２の提示機器で提示可能なコンテンツのデータを出力するコンテンツデータ出力装置とを備え、第１の提示機器は、第２の提示機器における使用者に提示可能とされた視聴制限レベルの設定状態を変更できる提示機器視聴制限レベル変更部を有することを特徴とする。
（２）  請求項２の発明は、請求項１に記載の視聴制限システムにおいて、第２の提示機器は複数備えられ、複数の第２の提示機器がそれぞれネットワークに接続されており、提示機器視聴制限レベル変更部は、複数の第２の提示機器のそれぞれについて使用者に提示可能とされた視聴制限レベルの設定状態を変更できることを特徴とする。
（３）  請求項３の発明は、請求項１または請求項２に記載の視聴制限システムにおいて、第１の提示機器は、コンテンツのデータに視聴制限レベルの情報を付加する視聴制限レベル付加部をさらに有することを特徴とする。
（４）  請求項４の発明は、請求項３に記載の視聴制限システムにおいて、再生装置は複数備えられ、複数の再生装置がそれぞれネットワークに接続されており、視聴制限レベル付加部は、複数の再生装置毎に設定された視聴制限レベルでコンテンツのデータに視聴制限レベルの情報を付加することを特徴とする。
（５）  請求項５の発明は、請求項３または請求項４に記載の視聴制限システムにおいて、視聴制限レベル付加部は、コンテンツ毎に設定された視聴制限レベルに応じてコンテンツのデータに視聴制限レベルの情報を付加することを特徴とする。
（６）  請求項６の発明は、請求項３〜５のいずれか一項に記載の視聴制限システムにおいて、視聴制限レベル付加部は、ネットワークの規格上でユーザまたはベンダが任意に利用可能な領域に視聴制限レベルの情報を付加することを特徴とする。
（７）  請求項７の発明は、請求項６に記載の視聴制限システムにおいて、ネットワークの規格は，ＩＥＥＥ１３９４またはその拡張規格であり、視聴制限レベル付加部は、ＩＥＥＥ１３９４またはその拡張規格によるアイソクロナス通信におけるアイソクロナスパケットのＣＩＰヘッダに視聴制限レベルの情報を付加することを特徴とする。
（８）  請求項８の発明は、請求項１に記載の視聴制限システムにおいて、提示機器視聴制限レベル変更部は、第２の提示機器からの問い合わせに応じて第２の提示機器における使用者に提示可能とされた視聴制限レベルの設定状態を変更することを特徴とする。
【発明の効果】
【０００６】
本発明によれば、第２の提示機器における使用者に提示可能とされた視聴制限レベルを容易に変更できる。
【発明を実施するための最良の形態】
【０００７】
図１〜８を参照して、本発明による視聴制限システムを車載用途のカーナビゲーション装置に適用した一実施の形態を説明する。図１は、本実施の形態のカーナビゲーション装置の全体構成を示す図である。カーナビゲーション装置１は、車両位置周辺の道路地図を表示する機能、出発地から目的地までの推奨経路を演算する機能、演算された推奨経路に基づいて経路誘導を行う機能など、車両の走行に関する情報を提示する機能を兼ね備えている。カーナビゲーション装置１は、いわゆるナビゲーションあるいは道路案内などを行う装置である。
【０００８】
図１において、１１は車両の現在地を検出する現在地検出装置であり、たとえば車両の進行方位を検出するジャイロセンサ１１ａ、ＧＰＳ（Global Positioning System）衛星からのＧＰＳ信号を検出するＧＰＳセンサ１１ｂ、車速を検出する車速センサ１１ｃ等から成る。１２はナビゲーション処理に使用する道路地図データやＰＯＩ情報（Point of Interest  観光地や各種施設の情報）など各種の情報を格納する地図記憶装置であり、ハードディスク装置が用いられている。１６，１７は映像や楽曲などを記録したＤＶＤを再生する第１ＤＶＤ再生装置および第２ＤＶＤ再生装置である。なお、地図記憶装置１２は、ハードディスク装置以外にも、道路地図データが格納されたＣＤ−ＲＯＭやＤＶＤ、その他の記録媒体、および、その読み出し装置であってもよい。
【０００９】
道路地図データは、地図に関する情報であり、地図表示用データ、経路探索用データ、誘導データ（交差点名称・道路名称・方面名称・方向ガイド施設情報など）などから成る。地図表示用データは道路や道路地図の背景を表示するためのデータである。経路探索用データは、道路形状とは直接関係しない分岐情報などから成るデータであり、主に推奨経路を演算（経路探索）する際に用いられる。誘導データは、交差点の名称などから成るデータであり、演算された推奨経路に基づき運転者等に推奨経路を誘導する際に用いられる。
【００１０】
１００は車両の前席側に設けられた前席側制御装置であり、ＣＰＵ１０１およびその周辺回路から成る。ＣＰＵ１０１およびその周辺回路は互いにバスで接続されている。周辺回路は、メモリ１０２、パラレルＩ／Ｏ１０３、Ａ／Ｄ変換器１０４、シリアルＩ／Ｏ１０５、カウンタ１０６、グラフィックコントローラ１０７、画像メモリ１０８、１３９４Ｉ／Ｆ１０９等から成る。１４は車室内の前席乗員が視認可能な位置に配設された前席表示モニタである。前席表示モニタ１４には、第１および第２ＤＶＤ再生装置１６，１７で再生された映像や、地図記憶装置１２から読み込まれた地図情報、その他各種情報などが表示される。
【００１１】
１５は前席側の乗員が車両の目的地等の入力や、第１および第２ＤＶＤ再生装置１６，１７の操作入力など、各種操作入力を行うためのスイッチである。スイッチ１５は、前席表示モニタ１４の画面上に設けられたタッチパネルスイッチや、カーソルの移動や画面のスクロールを指示するジョイスティックなどを含む。スイッチ１５は、リモコンスイッチであってもよく、表示画面周辺に設けられたスイッチであってもよい。
【００１２】
前席側制御装置１００のメモリ１０２は、制御プログラムを格納するＲＯＭおよび作業エリアのＲＡＭを含むメモリである。ＣＰＵ１０１は、メモリ１０２にアクセスして制御プログラムを実行し、各種の制御を行う。パラレルＩ／Ｏ１０３は、スイッチ１５を構成する個別のスイッチ等が接続されるパラレルＩ／Ｏポートである。Ａ／Ｄ変換器１０４は、ジャイロセンサ１１ａのアナログ信号をＡ／Ｄ変換する変換器である。シリアルＩ／Ｏ１０５は、ＧＰＳセンサ１１ｂからのシリアル信号を受信するシリアルＩ／Ｏポートである。カウンタ１０６は、たとえば車軸の回転に伴って車速センサ１１ｃから出力されるパルス信号をカウントするカウンタである。
【００１３】
グラフィックコントローラ１０７は、ＣＰＵ１０１から出力される表示データを、画像データとして画像メモリ（ビデオＲＡＭ）であるメモリ１０８に格納し、メモリ１０８に格納された画像データを前席表示モニタ１４に表示するための制御を行う。ＣＰＵ１０１から出力される表示データは、各種の文字データや道路地図などの各種の図形データ、第１および第２ＤＶＤ再生装置１６，１７で再生されたコンテンツの画像データなどから成る。前席側制御装置１００は、前席表示モニタ１４の表示制御装置として機能する。
【００１４】
１３９４Ｉ／Ｆ１０９は、前席側制御装置１００を地図記憶装置１２、各ＤＶＤ再生装置１６，１７、および、後述する後席側第１制御装置２００へ接続するためのインターフェースであり、ＩＥＥＥ１３９４の規格またはＩＥＥＥ１３９４の拡張規格（たとえばＩＤＢ−１３９４）に準拠した通信インターフェースである。１３９４Ｉ／Ｆ１０９は、地図記憶装置１２や各ＤＶＤ再生装置１６，１７に設けられた不図示のＩ／Ｆ、および、後席側第１制御装置２００に設けられた１３９４Ｉ／Ｆ２０９に接続されている。
【００１５】
２００は車両の後席側に設けられた後席側第１制御装置であり、ＣＰＵ２０１およびその周辺回路から成る。ＣＰＵ２０１およびその周辺回路は互いにバスで接続されている。周辺回路は、メモリ２０２、パラレルＩ／Ｏ２０３、グラフィックコントローラ２０７、画像メモリ２０８、１３９４Ｉ／Ｆ２０９等から成る。２４は車室内の後席乗員が視認可能な位置に配設された後席表示モニタである。後席表示モニタ２４には、第１および第２ＤＶＤ再生装置１６，１７で再生されて前席側制御装置１００から送信された映像や、前席側制御装置１００から送信された地図情報や各種情報などが表示される。
【００１６】
２５は後席側の乗員が各種操作入力を行うためのスイッチである。スイッチ２５は、後席表示モニタ２４の画面上に設けられたタッチパネルスイッチや、カーソルの移動や画面のスクロールを指示するジョイスティックなどを含む。スイッチ２５は、リモコンスイッチであってもよく、表示画面周辺に設けられたスイッチであってもよい。
【００１７】
後席側第１制御装置２００のメモリ２０２は、制御プログラムを格納するＲＯＭおよび作業エリアのＲＡＭを含むメモリである。ＣＰＵ２０１は、メモリ２０２にアクセスして制御プログラムを実行し、各種の制御を行う。パラレルＩ／Ｏ２０３は、スイッチ２５を構成する個別のスイッチ等が接続されるパラレルＩ／Ｏポートである。
【００１８】
グラフィックコントローラ２０７は、前席側制御装置１００から送信された映像信号や表示データ、ＣＰＵ２０１から出力される表示データなどを、画像データとして画像メモリ（ビデオＲＡＭ）であるメモリ２０８に格納する。そして、グラフィックコントローラ２０７は、メモリ２０８に格納された画像データを後席表示モニタ２４に表示するための制御を行う。後席側第１制御装置２００は、後席表示モニタ２４の表示制御装置として機能する。
【００１９】
１３９４Ｉ／Ｆ２０９は、後席側第１制御装置２００を前席側制御装置１００、および、後述する後席側第２制御装置３００へ接続するためのインターフェースであり、ＩＥＥＥ１３９４の規格またはＩＥＥＥ１３９４の拡張規格（たとえばＩＤＢ−１３９４）に準拠した通信インターフェースである。１３９４Ｉ／Ｆ２０９は、前席側制御装置１００に設けられた１３９４Ｉ／Ｆ１０９、および、後席側第２制御装置２００に設けられた１３９４Ｉ／Ｆ３０９に接続されている。
【００２０】
３００は車両の後席側に設けられた後席側第２制御装置である。後席側第２制御装置３００は後席側第１制御装置２００と同様の構成である。後席側第２制御装置３００のＣＰＵ３０１、メモリ３０２、パラレルＩ／Ｏ３０３、グラフィックコントローラ３０７、画像メモリ３０８、１３９４Ｉ／Ｆ３０９はそれぞれ後席側第１制御装置２００のＣＰＵ２０１、メモリ２０２、パラレルＩ／Ｏ２０３、グラフィックコントローラ２０７、画像メモリ２０８、１３９４Ｉ／Ｆ２０９に対応する。後席表示モニタ３４は後席表示モニタ２４に、スイッチ３５はスイッチ２５にそれぞれ対応する。１３９４Ｉ／Ｆ３０９は後席側第１制御装置２００の１３９４Ｉ／Ｆ２０９に接続されている。
【００２１】
なお、後席表示モニタ２４と後席表示モニタ３４とは、それぞれ異なる後部座席に着座した後席乗員から視認しやすくなるように、車両内で異なる位置に配設されている。たとえば座席が前後方向に３列設けられた車両では、後席表示モニタ２４は車両の前から２列目の座席に座った乗員から視認しやすい位置に設けられ、後席表示モニタ３４は車両の前から３列目の座席に座った乗員から視認しやすい位置に設けられる。同様に、スイッチ２５とスイッチ３５とは、それぞれ異なる後部座席に着座した後席乗員から操作しやすくなるように、車両内で異なる位置に配設されている。
【００２２】
このように構成されるカーナビゲーション装置１は、現在地検出装置１１により取得した自車位置情報および地図記憶装置１２に格納されている道路地図データに基づき各種のナビゲーションを行う。すなわち、車両の不図示のイグニッションがオンされると、カーナビゲーション装置１の電源がオンされて、前席側制御装置１００ではＣＰＵ１０１がナビゲーションに関する制御を開始する。たとえば、上述したように、ＣＰＵ１０１は、自車位置近辺の道路地図および自車位置を前席表示モニタ１４に表示し、経路探索によって得られた経路（推奨経路）に沿って運転者を誘導するように各部を制御する。
【００２３】
また、カーナビゲーション装置１は、第１および第２ＤＶＤ再生装置１６，１７で再生したコンテンツの映像や楽曲を提示する。ＣＰＵ１０１は、第１ＤＶＤ再生装置１６や第２ＤＶＤ再生装置１７から出力された映像や楽曲の信号に基づいて、映像を前席表示モニタ１４に表示するように、また、音声を不図示の前席側スピーカから出力するように各部を制御する。たとえば、第１ＤＶＤ再生装置１６にセットされたＤＶＤの再生を開始してコンテンツを提示するようにスイッチ１５が操作されると、ＣＰＵ１０１は、第１ＤＶＤ再生装置１６にセットされたＤＶＤの再生を開始するよう第１ＤＶＤ再生装置１６を制御する。そして、ＣＰＵ１０１は、第１ＤＶＤ再生装置１６から出力された映像や楽曲の信号に基づいて、映像を前席表示モニタ１４に表示するように、また、音声を不図示の前席側スピーカから出力するように各部を制御する。
【００２４】
同様に、第２ＤＶＤ再生装置１７にセットされたＤＶＤの再生を開始してコンテンツを提示するようにスイッチ１５が操作されると、ＣＰＵ１０１は、第２ＤＶＤ再生装置１７にセットされたＤＶＤの再生を開始するよう第２ＤＶＤ再生装置１７を制御する。そして、ＣＰＵ１０１は、第２ＤＶＤ再生装置１７から出力された映像や楽曲の信号に基づいて、映像を前席表示モニタ１４に表示するように、また、音声を前席乗員に対して不図示の前席側スピーカから出力するように各部を制御する。
【００２５】
本実施の形態のカーナビゲーション装置１では、第１ＤＶＤ再生装置１６や第２ＤＶＤ再生装置１７で再生されるコンテンツを後席表示モニタ２４，３４や不図示のスピーカを介して使用者（後席乗員）に提示できる。以下、詳述する。
【００２６】
−−−後席側でＤＶＤのコンテンツを視聴する場合−−−
後席側第１制御装置２００のＣＰＵ２０１は、第１ＤＶＤ再生装置１６や第２ＤＶＤ再生装置１７で再生されるコンテンツを使用者に提示する際、次のように動作する。たとえば、第１ＤＶＤ再生装置１６にセットされたＤＶＤの再生を開始してコンテンツを提示するようにスイッチ２５が操作されると、ＣＰＵ２０１は、ＤＶＤの再生を開始するように、１３９４Ｉ／Ｆ２０９および１３９４Ｉ／Ｆ１０９を介して第１ＤＶＤ再生装置１６および前席側制御装置１００のＣＰＵ１０１に制御信号を出力する。第１ＤＶＤ再生装置１６は、ＣＰＵ２０１から再生開始の制御信号を受信すると、ＤＶＤの再生を開始してＤＶＤから読み取ったコンテンツのデータを１３９４Ｉ／Ｆ１０９に出力する。
【００２７】
前席側制御装置１００のＣＰＵ１０１は、上述の制御信号を受信すると、１３９４Ｉ／Ｆ１０９から出力されるコンテンツのデータに、当該コンテンツについての視聴制限のレベル（コンテンツ側視聴制限レベル）を表すデータ（視聴制限データ）を付加するよう１３９４Ｉ／Ｆ１０９を制御する。したがって、１３９４Ｉ／Ｆ１０９からは第１ＤＶＤ再生装置１６で再生されたコンテンツのデータと、視聴制限データとが出力される。コンテンツのデータおよび視聴制限データは、ＩＥＥＥ１３９４のアイソクロナス通信（転送）によって１３９４Ｉ／Ｆ１０９からアイソクロナスパケットとして出力される。なお、後述するように、視聴制限データはＩＥＥＥ１３９４のアイソクロナス転送におけるアイソクロナスパケットのＣＩＰヘッダに挿入される。
【００２８】
ここで、コンテンツ側視聴制限レベルとは、第１ＤＶＤ再生装置１６や第２ＤＶＤ再生装置１７で再生されて出力されるコンテンツについて設定される試聴制限レベルのことであり、ＤＶＤのパレンタルレベルに基づいてＣＰＵ１０１が設定する。なお、ＤＶＤのパレンタルレベルは、コンテンツの内容に応じてあらかじめＤＶＤ側で設定されている。
【００２９】
ＣＰＵ１０１は、コンテンツ側視聴制限レベルをたとえば次の３段階のうちのいずれかに設定する。
（１）  視聴制限をしない「制限なし」
（２）  １８歳未満の使用者の視聴を制限する「１８歳未満視聴不可」
（３）  年齢を問わず視聴を制限する「視聴不可」
【００３０】
上述したように、視聴制限データは、アイソクロナスパケットのＣＩＰヘッダに挿入される。具体的には、図２に示すように、アイソクロナスパケットにおけるＣＩＰヘッダ９１０のＳＹＴレジスタ９１１を２ｂｉｔ使用して視聴制限管理レジスタとしている。なお、ＳＹＴレジスタ９１１はＩＥＥＥ１３９４の規格上でユーザまたはベンダが任意に利用可能な領域である。視聴制限管理レジスタの２ｂｉｔのうち、「００」を上述した（１）の「制限なし」に割り当て、「０１」を上述した（２）の「１８歳未満視聴不可」に割り当て、「１１」を上述した（３）の「視聴不可」に割り当てる。なお、１０は、将来新たなコンテンツ側視聴制限レベルを割り当てるための予約ｂｉｔであり、現段階では特にコンテンツ側視聴制限レベルを割り当てていない。
【００３１】
後席側第１制御装置２００のＣＰＵ２０１は、１３９４Ｉ／Ｆ２０９でアイソクロナスパケット（すなわちコンテンツのデータおよび視聴制限データ）を受信すると、ＳＹＴレジスタ９１１の視聴制限管理レジスタの値からコンテンツ側視聴制限レベルを読み込む。そしてＣＰＵ２０１は、コンテンツ側視聴制限レベルと、後席側第１制御装置２００について設定されている機器側視聴制限レベルとを比較して、コンテンツを使用者に提示できるか否かを判断する。
【００３２】
なお、機器側視聴制限レベルとは、後席側第１制御装置２００や後席側第２制御装置３００などの視聴装置側で設定される視聴制限レベルのことであり、コンテンツ側視聴制限レベルに応じてコンテンツを使用者に提示するか否かを判断するためのものである。後席側第１制御装置２００のメモリ２０２内には機器側視聴制限管理レジスタの領域が２ｂｉｔ確保されており、機器側視聴制限レベルは、機器側視聴制限管理レジスタの値によって決定される。後席側第２制御装置３００についても同様である。機器側視聴制限管理レジスタの値と機器側視聴制限レベルとの関係は次のとおりである。
【００３３】
（Ａ）  機器側視聴制限管理レジスタの値が「００」であれば、機器側視聴制限レベルは、コンテンツ側視聴制限レベルにかかわらず視聴を制限しない、「制限なし」とする。この場合、コンテンツ側視聴制限レベルが「００」、「０１」、「１１」のいずれであってもコンテンツの提示が許可される。
【００３４】
（Ｂ）  機器側視聴制限管理レジスタの値が「０１」であれば、機器側視聴制限レベルは、コンテンツ側視聴制限レベルが「１８歳未満視聴不可」および「視聴不可」の場合に使用者の視聴を制限する、「１８歳未満」とする。この場合、コンテンツ側視聴制限レベルが００であればコンテンツの提示が許可されるが、コンテンツ側視聴制限レベルが「０１」、「１１」であればコンテンツの提示が禁止される。
【００３５】
（Ｃ）  機器側視聴制限管理レジスタの値が「１０」であれば、機器側視聴制限レベルは、コンテンツ側視聴制限レベルが「視聴不可」の場合に使用者の視聴を制限する、「１８歳以上」とする。この場合、コンテンツ側視聴制限レベルが「００」、「０１」であればコンテンツの提示が許可されるが、コンテンツ側視聴制限レベルが「１１」であればコンテンツの提示が禁止される。
【００３６】
（Ｄ）  機器側視聴制限管理レジスタの値が「１１」であれば、機器側視聴制限レベルは、コンテンツ側視聴制限レベルにかかわらず視聴を制限する、「フル制限」とする。この場合、コンテンツ側視聴制限レベルが「００」、「０１」、「１１」のいずれであってもコンテンツの提示が禁止される。
【００３７】
なお、後席側第１制御装置２００および後席側第２制御装置３００では、カーナビゲーション装置１の電源がオフされた後、再び電源がオンされると、機器側視聴制限管理レジスタの値が「１１」にリセットされて機器側視聴制限レベルが「フル制限」とされる。また、機器側視聴制限レベルの変更（すなわち機器側視聴制限管理レジスタの値の変更）は、後述するように、後席側第１制御装置２００側または後席側第２制御装置３００側からの申請に基づいて、前席側制御装置１００のＣＰＵ１０１が許可または禁止する。
【００３８】
ＣＰＵ２０１は、コンテンツ側視聴制限レベルと後席側第１制御装置２００の機器側視聴制限レベルとを比較して、コンテンツを使用者に提示できると判断すると、１３９４Ｉ／Ｆ２０９で受信したアイソクロナスパケットからコンテンツの映像および音声の信号を得る。そして、コンテンツの映像を後席表示モニタ２４に表示するように、また、コンテンツの音声を後席表示モニタ２４の利用者に対して不図示の後席側第１スピーカから出力するように各部を制御する。これにより、第１ＤＶＤ再生装置１６で再生されたコンテンツが後席側第１制御装置２００側で提示される。
【００３９】
また、ＣＰＵ２０１は、コンテンツ側視聴制限レベルと後席側第１制御装置２００の機器側視聴制限レベルとを比較して、コンテンツを使用者に提示できないと判断すると、図３（ａ）、図４（ａ）に示すような視聴制限解除申請画面６１を後席表示モニタ２４に表示させる。視聴制限解除申請画面６１には、タッチパネルスイッチである「１８歳未満」ボタン６１ａと、「１８歳以上」ボタン６１ｂと、「設定解除」ボタン６１ｃとが表示される。「１８歳未満」ボタン６１ａは使用者が１８歳未満である場合に選択させて押圧させるタッチパネルスイッチであり、機器側視聴制限レベルを「１８歳未満」に設定する際に用いられる。
【００４０】
「１８歳以上」ボタン６１ｂは使用者が１８歳以上である場合に選択させて押圧させるタッチパネルスイッチであり、機器側視聴制限レベルを「１８歳以上」に設定する際に用いられる。「設定解除」ボタン６１ｃはコンテンツ側視聴制限レベルにかかわらず視聴制限を解除する場合に選択させて押圧させるタッチパネルスイッチであり、機器側視聴制限レベルを「制限なし」に設定する際に用いられる。
【００４１】
たとえば、図３（ａ）で「設定解除」ボタン６１ｃが押圧されると、後席側第１制御装置２００のＣＰＵ２０１は、１３９４Ｉ／Ｆ２０９および１３９４Ｉ／Ｆ１０９を介して、機器側視聴制限レベルを「制限なし」に設定するための解除申請コマンドを前席側制御装置１００のＣＰＵ１０１に送信する。また、図４（ａ）で「１８歳未満」ボタン６１ａが押圧されると、後席側第１制御装置２００のＣＰＵ２０１は、１３９４Ｉ／Ｆ２０９および１３９４Ｉ／Ｆ１０９を介して、機器側視聴制限レベルを「１８歳未満」に設定するための解除申請コマンドを前席側制御装置１００のＣＰＵ１０１に送信する。
【００４２】
前席側制御装置１００のＣＰＵ１０１は、上述の解除申請コマンドを受信すると、図３（ｂ）、図４（ｂ）に示すような、視聴制限の解除申請があった旨を使用者に伝える画面（解除申請受付画面）５１，５２を前席表示モニタ１４に表示させる。
【００４３】
図３（ｂ）の解除申請受付画面５１には、後席側第１制御装置２００または後席側第２制御装置３００のいずれの側から解除申請があったかを示す表示５１ａと、機器側視聴制限レベルをどのレベルに設定することを後席側で希望しているのかを示す表示５１ｂと、タッチパネルスイッチであるＯＫボタン５１ｃと、ＮＧボタン５１ｄとが表示される。たとえば、後席表示モニタ２４に「後席モニタＡ」という名称に設定されていた場合には、図３（ｂ）に示すように、表示５１には「後席モニタＡより視聴制限解除の依頼がありました。解除しますか？」というような内容の文章が表示される。
【００４４】
表示５１ｂには、後席側で設定を希望する機器側視聴制限レベルが表示されるので、この場合には、「設定解除」と表示される。ＯＫボタン５１ｃは、解除申請を許可するときに選択させて押圧させるタッチパネルスイッチである。ＮＧボタン５１ｄは、解除申請を許可しないときに選択させて押圧させるタッチパネルスイッチである。後席乗員からの機器側視聴制限レベルの解除申請を許可する場合、前席乗員はＯＫボタン５１ｃを押圧すればよい。また、後席乗員からの機器側視聴制限レベルの解除申請を許可しない場合、前席乗員はＮＧボタン５１ｄを押圧すればよい。
【００４５】
図４（ｂ）の解除申請受付画面５２には、図３（ｂ）の解除申請受付画面５１と同様に、表示５１ａに対応する表示５２ａと、表示５１ｂに対応する表示５２ｂと、タッチパネルスイッチであるＯＫボタン５２ｃと、ＮＧボタン５２ｄとが表示される。表示５２ｂには、後席側で設定を希望する機器側視聴制限レベルが表示されるので、この場合には、「１８歳未満」と表示される。
【００４６】
図３（ｂ）の解除申請受付画面５１でＯＫボタン５１ｃが押圧されると、ＣＰＵ１０１は、機器側視聴制限レベルの解除許可コマンド（再設定コマンド）を生成する。具体的には、ＣＰＵ１０１は、後席側第１制御装置２００の機器側視聴制限管理レジスタの値を００に設定するためのコマンドを生成する。そして、ＣＰＵ１０１は、生成した解除許可コマンドを１３９４Ｉ／Ｆ１０９および１３９４Ｉ／Ｆ２０９を介して後席側第１制御装置２００のＣＰＵ２０１に送信する。
【００４７】
図３（ｂ）の解除申請受付画面５１でＮＧボタン５１ｄが押圧されると、ＣＰＵ１０１は、機器側視聴制限レベルの解除不許可コマンドを生成する。そして、ＣＰＵ１０１は、生成した解除不許可コマンドを１３９４Ｉ／Ｆ１０９および１３９４Ｉ／Ｆ２０９を介して後席側第１制御装置２００のＣＰＵ２０１に送信する。
【００４８】
図４（ｂ）の解除申請受付画面５２でＯＫボタン５２ｃが押圧されると、ＣＰＵ１０１は、機器側視聴制限レベルの解除許可コマンド（再設定コマンド）を生成する。具体的には、ＣＰＵ１０１は、後席側第１制御装置２００の機器側視聴制限管理レジスタの値を０１に設定するためのコマンドを生成する。そして、ＣＰＵ１０１は、生成した解除許可コマンドを１３９４Ｉ／Ｆ１０９および１３９４Ｉ／Ｆ２０９を介して後席側第１制御装置２００のＣＰＵ２０１に送信する。
【００４９】
図４（ｂ）の解除申請受付画面５２でＮＧボタン５２ｄが押圧されると、ＣＰＵ１０１は、機器側視聴制限レベルの解除不許可コマンドを生成する。そして、ＣＰＵ１０１は、生成した解除不許可コマンドを１３９４Ｉ／Ｆ１０９および１３９４Ｉ／Ｆ２０９を介して後席側第１制御装置２００のＣＰＵ２０１に送信する。
【００５０】
後席側第１制御装置２００のＣＰＵ２０１は、解除許可コマンドを受信すると、受信した解除許可コマンドに基づいて機器側視聴制限管理レジスタの値を変更する。機器側視聴制限管理レジスタの値を００に設定するための解除許可コマンドを受信すると、ＣＰＵ２０１は、図３（ｃ）に示すように、視聴制限の設定が解除された旨を示す表示６２を後席表示モニタ２４に一定時間だけ表示させる。以降、ＣＰＵ２０１は、コンテンツ側視聴制限レベルにかかわらず、コンテンツの映像を後席表示モニタ２４に表示するように、また、コンテンツの音声を不図示の後席側第１スピーカから出力するように各部を制御する。
【００５１】
機器側視聴制限管理レジスタの値を０１に設定するための解除許可コマンドを受信すると、ＣＰＵ２０１は、図４（ｃ）に示すように、視聴制限の解除申請が許可された旨を示す表示６４を後席表示モニタ２４に一定時間だけ表示させる。以降、ＣＰＵ２０１は、新たに設定された機器側視聴制限レベルに基づいてコンテンツを使用者に提示できるか否かを判断し、コンテンツを使用者に提示できると判断すると、上述したように、コンテンツの映像を後席表示モニタ２４に表示するように、また、コンテンツの音声を不図示の後席側第１スピーカから出力するように各部を制御する。
【００５２】
ＣＰＵ２０１は、解除不許可コマンドを受信すると、図３（ｄ）、図４（ｄ）に示すように、視聴制限の設定申請が許可されなかった旨を示す表示６３を後席表示モニタ２４に一定時間だけ表示させる。ＣＰＵ２０１が解除不許可コマンドを受信した場合、機器側視聴制限レベルは変更されない。
【００５３】
なお、後席側第２制御装置３００についても上述した後席側第１制御装置２００と同様であるので詳細な説明は省略する。なお、ＣＰＵ３０１は、機器側視聴制限レベルに基づいてコンテンツを使用者に提示できるか否かを判断し、コンテンツを使用者に提示できると判断すると、上述した後席側第１制御装置２００と同様に、コンテンツの映像を後席表示モニタ３４に表示するように、また、コンテンツの音声を不図示の後席側第２スピーカから出力するように各部を制御する。
【００５４】
−−−フローチャート−−−
図５，６は、後席側第１制御装置２００側でＤＶＤのコンテンツを提示する際に実行されるプログラムの動作を示すフローチャートである。なお、後席側第２制御装置３００側でＤＶＤのコンテンツを提示する際に実行されるプログラムの動作を示すフローチャートも同様であるので説明を省略する。車両の不図示のイグニッションスイッチがオンされて、カーナビゲーション装置１の電源がオンされると、以下に説明する処理を行うプログラムが起動されて、後席側制御装置２００のＣＰＵ２０１で実行される。
【００５５】
ステップＳ１において、機器側視聴制限管理レジスタの値を１１にリセットしてステップＳ３へ進む。ステップＳ３において、第１ＤＶＤ再生装置１６または第２ＤＶＤ再生装置１７にセットされたＤＶＤの再生を開始してコンテンツを提示するようにスイッチ２５から操作信号を受信するまで待機する。ステップＳ３が肯定判断されるとステップＳ５へ進み、ステップＳ３で受信した操作信号に基づいて、該当する第１ＤＶＤ再生装置１６または第２ＤＶＤ再生装置１７、および、前席側制御装置１００のＣＰＵ１０１に、１３９４Ｉ／Ｆ２０９および１３９４Ｉ／Ｆ１０９を介して再生開始の制御信号を送信してステップＳ７へ進む。
【００５６】
ステップＳ７において、コンテンツのデータおよび視聴制限データが含まれたアイソクロナスパケットを１３９４Ｉ／Ｆ２０９で受信するまで待機する。ステップＳ７が肯定判断されるとステップＳ９へ進み、ステップＳ７で受信したアイソクロナスパケットからＳＹＴレジスタ９１１の視聴制限管理レジスタの値（コンテンツ側視聴制限レベル）を読み込んでステップＳ１１へ進む。ステップＳ１１において、ステップＳ９で読み込んだコンテンツ側視聴制限レベルと、機器側視聴制限管理レジスタの値（すなわち機器側視聴制限レベル）とを比較してステップＳ１３へ進む。
【００５７】
ステップＳ１３において、ステップＳ１１でコンテンツ側視聴制限レベルと機器側視聴制限レベルとを比較した結果、コンテンツを使用者に提示できるか否かを判断する。ステップＳ１３が肯定判断されるとステップＳ１５へ進み、１３９４Ｉ／Ｆ２０９で受信したアイソクロナスパケットからコンテンツの映像および音声の信号を得て、コンテンツの映像を後席表示モニタ２４に表示するように、また、コンテンツの音声を不図示の後席側第１スピーカから出力するように各部を制御してリターンする。
【００５８】
ステップＳ１３が否定判断されるとステップＳ２１へ進み、図３（ａ）や図４（ａ）に示すような視聴制限解除申請画面６１を後席表示モニタ２４に表示させてステップＳ２３へ進む。ステップＳ２３において、「１８歳未満」ボタン６１ａ、「１８歳以上」ボタン６１ｂ、または「設定解除」ボタン６１ｃのいずれかのタッチパネルスイッチが押圧されたことを示す操作信号を受信するまで待機する。ステップＳ２３が肯定判断されるとステップＳ２５へ進み、ステップＳ２３で受信した操作信号に基づいて解除申請コマンドを生成し、生成した解除申請コマンドを１３９４Ｉ／Ｆ２０９および１３９４Ｉ／Ｆ１０９を介して前席側制御装置１００のＣＰＵ１０１に送信して図６のステップＳ２７へ進む。
【００５９】
ステップＳ２７において、１３９４Ｉ／Ｆ２０９で解除許可コマンドを受信したか否かを判断する。ステップＳ２７が肯定判断されるとステップＳ３１へ進み、ステップＳ２７で受信した解除許可コマンドに基づいて機器側視聴制限管理レジスタの値を変更してステップＳ３３へ進む。ステップＳ３３において、視聴制限の設定が解除された旨を示す表示（たとえば図３（ｃ）の表示６２、図４（ｃ）の表示６４）を後席表示モニタ２４に一定時間だけ表示させてリターンする。
【００６０】
ステップＳ２７が否定判断されるとステップＳ２９へ進み、１３９４Ｉ／Ｆ２０９で解除不許可コマンドを受信したか否かを判断する。ステップＳ２９が否定判断されるとステップＳ２７へ戻る。ステップＳ２９が肯定判断されるとステップＳ３５へ進み、図３（ｄ）や図４（ｄ）に示すような視聴制限の設定申請が許可されなかった旨を示す表示６３を後席表示モニタ２４に一定時間だけ表示させてリターンする。
【００６１】
図７は、前席側制御装置１００側で視聴制限データを付加する際に実行されるプログラムの動作を示すフローチャートである。１３９４Ｉ／Ｆ１０９を介して第１ＤＶＤ再生装置１６または第２ＤＶＤ再生装置１７の再生開始の制御信号を受信すると、以下に説明する処理を行うプログラムが起動されて、前席側制御装置１００のＣＰＵ１０１で実行される。ステップＳ４１において、再生が開始された第１ＤＶＤ再生装置１６または第２ＤＶＤ再生装置１７のいずれかの再生装置から出力される信号に基づいてＤＶＤのパレンタルレベルを読み込んでステップＳ４３へ進む。
【００６２】
ステップＳ４３において、ステップＳ４１で読み込んだパレンタルレベルに基づいてコンテンツ側視聴制限レベルを設定してステップＳ４５へ進む。ステップＳ４５において、１３９４Ｉ／Ｆ１０９から出力されるアイソクロナスパケットに対して、ステップＳ４３で設定したコンテンツ側視聴制限レベルとなるようにＣＩＰヘッダ９１０のＳＹＴレジスタ９１１の値を書き換えるよう１３９４Ｉ／Ｆ１０９を制御してリターンする。
【００６３】
図８は、後席側第１制御装置２００側または後席側第２制御装置３００側の機器側視聴制限レベルの変更に関して前席側制御装置１００側で実行されるプログラムの動作を示すフローチャートである。１３９４Ｉ／Ｆ１０９を介して後席側第１制御装置２００のＣＰＵ２０１または後席側第２制御装置３００のＣＰＵ３０１から解除申請コマンドを受信すると、以下に説明する処理を行うプログラムが起動されて、前席側制御装置１００のＣＰＵ１０１で実行される。ステップＳ５１において、たとえば図３（ｂ）に示す解除申請受付画面５１や、図４（ｂ）に示す解除申請受付画面５２のような解除申請受付画面を前席表示モニタ１４に表示させてステップＳ５３へ進む。
【００６４】
ステップＳ５３において、解除申請受付画面のＯＫボタン（たとえばＯＫボタン５１ｃやＯＫボタン５２ｃ）のタッチパネルスイッチが押圧されたことを示す操作信号を受信したか否かを判断する。ステップＳ５３が肯定判断されるとステップＳ５７へ進み、すでに受信している解除申請コマンドに基づいて解除許可コマンドを生成してステップＳ５９へ進む。ステップＳ５９において、ステップＳ５７で生成した解除許可コマンドを１３９４Ｉ／Ｆ１０９を介して、解除申請コマンドの発信元であるＣＰＵ２０１またはＣＰＵ３０１へ送信してリターンする。
【００６５】
ステップＳ５３が否定判断されるとステップＳ５５へ進み、解除申請受付画面のＮＧボタン（たとえばＮＧボタン５１ｄやＮＧボタン５２ｄ）のタッチパネルスイッチが押圧されたことを示す操作信号を受信したか否かを判断する。ステップＳ５５が否定判断されるとステップＳ５３へ戻る。ステップＳ５５が肯定判断されるとステップＳ６１へ進み、解除不許可コマンドを生成してステップＳ６３へ進む。ステップＳ６３において、ステップＳ６１で生成した解除不許可コマンドを１３９４Ｉ／Ｆ１０９を介して、解除申請コマンドの発信元であるＣＰＵ２０１またはＣＰＵ３０１へ送信してリターンする。
【００６６】
上述したカーナビゲーション装置１では、次の作用効果を奏する。
（１）  後席側第１制御装置２００側または後席側第２制御装置３００側の機器側視聴制限レベルを前席側制御装置１００側で変更できるように構成した。したがって、後席側でユーザＩＤやパスワードを入力するというような複雑な操作をすることなく、後席側第１制御装置２００側または後席側第２制御装置３００側の機器側視聴制限レベルを変更できる。これにより、後席側の乗員が幼児等であっても、前席乗員（大人）が機器側視聴制限レベルを容易に変更できるので、前席乗員が後席側に回って機器側視聴制限レベルの変更操作を行うなどの手間を省くことができ、利便性が高い。また、前席側の乗員の許可操作がなければ後席側第１制御装置２００側および後席側第２制御装置３００側の機器側視聴制限レベルを変更できないので、後席側の幼児等に不適切なコンテンツを提示するのを防止できる。
【００６７】
（２）  後席側第１制御装置２００側および後席側第２制御装置３００側の機器側視聴制限レベルをそれぞれ前席側制御装置１００側で変更できるように構成した。したがって、２台の後席表示モニタ２４，３４に対して個別に機器側視聴制限レベルを設定できる。これにより、後席乗員の年齢と着座位置に応じて機器側視聴制限レベルを適切に設定できるので、利便性が高い。また、２台の後席表示モニタ２４，３４に対する機器側視聴制限レベルを前席側制御装置１００側で設定できるので、視聴制限を制御するための装置（すなわち前席側制御装置１００）が１台で済み、コスト増を抑制できるほか、機器側視聴制限レベルの設定操作も１台の装置（すなわち前席側制御装置１００）の操作で済むので操作性が良い。
【００６８】
（３）  １３９４Ｉ／Ｆ１０９から出力されるコンテンツのデータにコンテンツ側視聴制限レベルを表す視聴制限データを付加するよう構成した。これにより、後席側第１制御装置２００側および後席側第２制御装置３００側におけるコンテンツの視聴制限が技術的に容易となる。
【００６９】
（４）  第１ＤＶＤ再生装置１６および第２ＤＶＤ再生装置１７のそれぞれで再生されて出力されるコンテンツについてコンテンツ側視聴制限レベルを設定できるように構成した。したがって、第１ＤＶＤ再生装置１６および第２ＤＶＤ再生装置１７のいずれのＤＶＤ再生装置でＤＶＤを再生しても、後席側第１制御装置２００側および後席側第２制御装置３００側におけるコンテンツの視聴制限が可能となる。これにより、たとえば子供に視聴させるのが好ましくないコンテンツを含むＤＶＤを第１ＤＶＤ再生装置１６および第２ＤＶＤ再生装置１７のどちらにセットすればよいかというようなことを考慮しなくても良いので利便性が高い。
【００７０】
（５）  ＤＶＤのパレンタルレベルを参照してコンテンツ側視聴制限レベルを設定できるように構成した。これにより、コンテンツ毎にコンテンツ側視聴制限レベルを設定できるので、視聴者に対する不適切なコンテンツの提示を防止できる。
【００７１】
（６）  ＩＥＥＥ１３９４のアイソクロナスパケットにおけるＣＩＰヘッダ９１０で、ＳＹＴレジスタ９１１（図２）を２ｂｉｔ使用して視聴制限管理レジスタとするように構成した。これにより、既存のＩＥＥＥ１３９４の規格との互換性を保てるので、たとえば１３９４Ｉ／Ｆ１０９に他のＩＥＥＥ１３９４対応機器を接続して利用でき、拡張性が高い。
【００７２】
（７）  後席側第１制御装置２００側または後席側第２制御装置３００側からの申請に基づいて、後席側第１制御装置２００側または後席側第２制御装置３００側の機器側視聴制限レベルを前席側制御装置１００側で変更できるように構成した。これにより、たとえば後席乗員の年齢や性別等に合わせて前席乗員が後席側第１制御装置２００側または後席側第２制御装置３００側の機器側視聴制限レベルの変更を許可または禁止できるので、後席乗員に合わせた適切な機器側視聴制限レベルに設定できる。
【００７３】
−−−変形例−−−
（１）  上述の説明では、アイソクロナスパケットにおけるＣＩＰヘッダ９１０で、ＳＹＴレジスタ９１１（図２）を２ｂｉｔ使用して視聴制限管理レジスタとしているが、本発明はこれに限定されない。ＳＹＴレジスタ９１１を利用するのではなく、ＣＩＰヘッダを増設して視聴制限管理レジスタを設けても良い。すなわち、ＣＩＰヘッダの終了ｂｉｔ「１０」を示すまでＣＩＰヘッダを増設できるので、ＣＩＰヘッダを増設して視聴制限データを付加するように構成しても良い。また、視聴制限データを付加する領域は、ネットワークの規格上でユーザまたはベンダが任意に利用可能な領域であれば、ＳＹＴレジスタ９１１やＣＩＰヘッダ９１０に限られない。
【００７４】
（２）  上述の説明では、１３９４Ｉ／Ｆ１０９に接続されるＤＶＤ再生装置の台数が第１ＤＶＤ再生装置１６および第２ＤＶＤ再生装置１７の２台であるが、ＤＶＤ再生装置の接続台数は１台であってもよく、３台以上であっても良い。また、ＤＶＤ再生装置に限らず、ＣＤなどの他の種類の記録媒体の再生装置や、テレビジョン受信機やラジオ受信機などの放送波を受信して再生する装置、半導体素子やハードディスクに記録したコンテンツのデータを再生する装置など、様々な種類のＩＥＥＥ１３９４対応機器を１３９４Ｉ／Ｆ１０９に接続しても良い。
【００７５】
（３）  上述の説明では、第１ＤＶＤ再生装置１６および第２ＤＶＤ再生装置１７のいずれのＤＶＤ再生装置で再生されたコンテンツであっても後席側で視聴制限できるように構成しているが、本発明はこれに限定されない。たとえば、第１ＤＶＤ再生装置１６および第２ＤＶＤ再生装置１７の少なくともいずれ一方のＤＶＤ再生装置で再生されたコンテンツだけが後席側で視聴制限できるように構成してもよい。
【００７６】
（４）  上述の説明では、後席側第１制御装置２００側および後席側第２制御装置３００側の双方で視聴制限できるように構成しているが、本発明はこれに限定されない。たとえば、後席側第１制御装置２００側または後席側第２制御装置３００側のいずれか一方のみが視聴制限できるように構成しても良い。
【００７７】
（５）  上述の説明では、各ＤＶＤ再生装置１６，１７のそれぞれで再生されて出力されるコンテンツについて、コンテンツ毎にコンテンツ側視聴制限レベルを設定できるように構成したが、本発明はこれに限定されない。たとえば、再生されて出力されるコンテンツ毎ではなく、ＤＶＤ再生装置毎にコンテンツ側視聴制限レベルを任意に設定できるように構成してもよい。この場合には、たとえば、第１ＤＶＤ再生装置１６で再生されて出力されるコンテンツに対しては、コンテンツ側視聴制限レベルを全て「制限なし」に設定するように構成し、第２ＤＶＤ再生装置１７で再生されて出力されるコンテンツに対しては、コンテンツ側視聴制限レベルを全て「１８歳未満視聴不可」に設定するように構成することもできる。このように構成することで、ＤＶＤをセットするＤＶＤ再生装置を選択することが、コンテンツ側視聴制限レベルを選択することになるので、後席乗員の年齢に合わせてコンテンツ側視聴制限レベルを容易に設定できる。
【００７８】
（６）  上述の説明では、ＤＶＤのパレンタルレベルに基づいてコンテンツ側視聴制限レベルを設定できるように構成しているが、本発明はこれに限定されない。たとえば、ＤＶＤの再生開始時にＤＶＤのタイトルを前席表示モニタ１４に表示させて、前席乗員にコンテンツ側視聴制限レベルを任意に選択させることでコンテンツ側視聴制限レベルを任意に設定できるように構成しても良い。
【００７９】
（７）  上述の説明では、ネットワークの規格がＩＥＥＥ１３９４またはその拡張規格であるが、他のネットワークの規格に対して本発明を適用することを妨げるものではない。
（８）  上述した各実施の形態および変形例は、それぞれ組み合わせてもよい。
【００８０】
上述の実施の形態およびその変形例において、たとえば、第１の提示機器は前席側制御装置１００および前席表示モニタ１４に、第２の提示機器は後席側第１制御装置２００および後席表示モニタ２４に、コンテンツデータ出力装置は第１および第２ＤＶＤ再生装置１６，１７にそれぞれ対応する。判断部はＣＰＵ２０１およびメモリ２０２に格納された制御プログラムによって実現される。提示機器視聴制限レベル変更部はＣＰＵ１０１およびメモリ１０２に格納された制御プログラムによって実現される。視聴制限レベル付加部は１３９４Ｉ／Ｆ１０９、ＣＰＵ１０１およびメモリ１０２に格納された制御プログラムによって実現される。なお、以上の説明はあくまで一例であり、発明を解釈する際、上記の実施形態の記載事項と特許請求の範囲の記載事項の対応関係になんら限定も拘束もされない。
【図面の簡単な説明】
【００８１】
【図１】カーナビゲーション装置１の全体構成を示す図である。
【図２】ＩＥＥＥ１３９４のアイソクロナス通信におけるアイソクロナスパケットの構造を示す図である。
【図３】前席表示モニタ１４および後席表示モニタ２４の画面表示の例を示す図である。
【図４】前席表示モニタ１４および後席表示モニタ２４の画面表示の例を示す図である。
【図５】後席側第１制御装置２００側でＤＶＤのコンテンツを提示する際に実行されるプログラムの動作を示すフローチャートである。
【図６】後席側第１制御装置２００側でＤＶＤのコンテンツを提示する際に実行されるプログラムの動作を示すフローチャートである。
【図７】前席側制御装置１００側で視聴制限データを付加する際に実行されるプログラムの動作を示すフローチャートである。
【図８】後席側第１制御装置２００側または後席側第２制御装置３００側の機器側視聴制限レベルの変更に関して前席側制御装置１００側で実行されるプログラムの動作を示すフローチャートである。
【符号の説明】
【００８２】
１  カーナビゲーション装置                    １４  前席表示モニタ
１６  第１ＤＶＤ再生装置                      １７  第２ＤＶＤ再生装置
２４，３４  後席表示モニタ                    １００  前席側制御装置
１０１，２０１，３０１  ＣＰＵ                １０２，２０２，３０２  メモリ
１０９，２０９，３０９  １３９４Ｉ／Ｆ        ２００  後席側第１制御装置
３００  後席側第２制御装置
【図１】
2009089235.tif 000003
【図２】
2009089235.tif 000004
【図３】
2009089235.tif 000005
【図４】
2009089235.tif 000006
【図５】
2009089235.tif 000007
【図６】
2009089235.tif 000008
【図７】
2009089235.tif 000009
【図８】
2009089235.tif 000010